(57)【要約】【課題】一般に液体身体洗浄料における基本性能として、泡立ち、清浄性、経済性に加えて、洗い上がり後のさっぱり感が重要視されており、これらを兼ね備える液体身体洗浄料として脂肪酸アルカリ金属塩（脂肪酸石鹸 ）をベースとしたものが主流になっている。本発明は、流動性及び低温安定性が良好であり、かつ脂肪酸石鹸 の長所である泡立ち、ぬるつき感のなさを損なうことなく、更に、洗い上がり後のつっぱり感やかさつき感を発生させることなく、優れたしっとり感を与えることができる保湿効果の高い液体身体洗浄料を提供することを目的とする。【解決手段】炭素数８〜２２の脂肪酸アルカリ金属塩及びポリグリセリンモノアルキルエーテルを含有することにより上記課題を解決する。【選択図】なし【特許請求の範囲】
【請求項１】
炭素数８〜２２の脂肪酸アルカリ金属塩及びポリグリセリンモノアルキルエーテルを含有する洗浄剤組成物。
【請求項２】
更に、両性界面活性剤又は非イオン性界面活性剤を含有する請求項１記載の洗浄剤組成物。
【発明の詳細な説明】
【技術分野】
【０００１】
一般に液体身体洗浄料における基本性能として、泡立ち、清浄性、経済性に加えて、洗い上がり後のさっぱり感が重要視されており、これらを兼ね備える液体身体洗浄料として脂肪酸アルカリ金属塩（脂肪酸石鹸 ）をベースとしたものが主流になっている。しかし、このものはさっぱり感は良好であるが、同時につっぱり感やかさつき感が発生し、刺激性があることが問題となっていた。この問題を解決するため、従来、界面活性剤（アニオン、両性）を組み合わせることが行われているが、脂肪酸石鹸 の長所を生かしながら、短所を解消するまでには至っていない。
【背景技術】
【０００２】
また、特定の界面活性剤を特定の比率で配合することにより、ｐＨをコントロールすることでこれらの問題点を解決する技術が公開されている。（例えば、特許文献１参照。）しかしながら、脂肪酸塩、特にカリウム塩は、製剤のｐＨを８付近まで下げると、遊離した脂肪酸が析出することで、製剤の流動性や、低温安定性が著しく悪化するという問題点があった。製剤の粘度調整剤として多価アルコール等の溶剤が用いられているが、製剤の分離を引き起こしたり、洗浄後のさっぱり感を阻害したり、泡質を変えてしまうなどの問題があった。また、トリエタノールアミン塩とすることで製剤のｐＨを中性付近に抑えられるが、アルカリ金属塩に比べ、泡立ちが劣る、洗い上がりがさっぱりしないなどの嗜好性の欠点があり、また経時的に製剤が黄変してしまうなどの問題があった。
【０００３】
【特許文献１】特公平６−２４８２９８号公報
【発明の開示】
【発明が解決しようとする課題】
【０００４】
従って、本発明の目的は、流動性及び低温安定性が良好であり、かつ脂肪酸石鹸の長所である泡立ち、ぬるつき感のなさを損なうことなく、更に、洗い上がり後のつっぱり感やかさつき感を発生させることなく、優れたしっとり感を与えることができる保湿効果の高い液体身体洗浄料を提供することを目的とする。
【課題を解決するための手段】
【０００５】
かかる実情において、本発明者らは鋭意研究を行った結果、炭素数８〜２２の脂肪酸アルカリ金属塩と、ポリグリセリンモノアルキルエーテルを組合わせて用いれば、泡立ちが良く、低刺激性でかつぬるつかず、すすぎ性に優れ、しかも洗いあがり後につっぱることなくしっとりして良好な肌感触が得られる保湿効果の高い洗浄剤組成物が得られることを見出し、本発明を完成した。
【０００６】
すなわち、本発明は、炭素数８〜２２の脂肪酸アルカリ金属塩及びポリグリセリンモノアルキルエーテルを含有する洗浄剤組成物を提供するものである。
【発明を実施するための最良の形態】
【０００７】
本発明に用いる脂肪酸アルカリ金属塩は、炭素数８〜２２のものであり、起泡性及び溶解性の点から、炭素数１０〜２０のものが好ましく、炭素数１２〜１８のものが更に好ましい。このような脂肪酸アルカリ金属塩における脂肪酸としては、例えば、牛脂、羊油等の動物油脂、ヤシ油、パーム核油、大豆油、オリ−ブ油、綿実油等の植物油脂等を常法により高圧分解して得られる脂肪酸混合物や、これらを分離精製して得られるラウリン酸、ミリスチン酸、パルミチン酸、ステアリン酸、オレイン酸、イソミリスチン酸、イソパルミチン酸、イソステアリン酸等が挙げられる。これらは単独で使用しても、複数種を併用してもよい。前述のような脂肪酸とイオン結合して塩を構成するための対イオンとしては、ナトリウムイオン、カリウムイオン等のアルカリ金属イオン等が挙げられる。
【０００８】
本発明の液体身体洗浄料において、前記脂肪酸アルカリ金属塩は製品中に存在していればよく、液体身体洗浄料の配合成分として脂肪酸アルカリ金属塩を用いてもよいし、また、対応する脂肪酸と前記対イオンを含むアルカリ、例えば水酸化カリウム、水酸化ナトリウムとを配合成分として用いて、製造時に脂肪酸アルカリ金属塩を形成させてもよい。
【０００９】
前記脂肪酸アルカリ金属塩の洗浄剤組成物中の割合は、特に限定するものではないが通常５〜４０重量部、好ましくは１０〜４０重量部である。洗浄剤組成物における前記割合が、５重量部未満であると脂肪酸アルカリ金属塩のもつ洗浄力及び泡立ちが不足し、４０重量部を超えると、粘性が上がり低温安定性が著しく悪化する場合があり好ましくない。
【００１０】
また、本発明で用いられるポリグリセリンモノアルキルエーテルとしては、例えば次の一般式（１）で表わされるものが挙げられる。
【００１１】
Ｒ１−（ＯＣＨ２−ＣＨ−ＣＨ２）ｎ−ＯＨ    式（１）
（式中、Ｒ１はアルキル基、アルケニル基、ヒドロキシアルキル基で直鎖状あるいは分岐状であることを問わない、ｎは２以上の整数。）
【００１２】
式（１）におけるＲ１はアルキル基、アルケニル基、ヒドロキシアルキル基で直鎖状あるいは分岐状のものであれば特に限定されるものではないが、炭素数８〜１８の直鎖もしくは分岐状のアルキル基が好ましく、炭素数８〜１４の直鎖のアルキル基が特に好ましい。具体的には、オクチル基、ノニル基、デシル基、ウンデシル基、ドデシル基、トリデシル基、テトラデシル基が挙げられる。また式（１）におけるｎは２以上の整数であれば特に限定されるものではないが好ましくは２〜２０、特に好ましくは３〜１０、更に好ましくは６〜１０である。ポリグリセリンモノアルキルエーテルの製造方法としては、塩基性触媒の存在下、脂肪族アルコールに該アルコール／グリシドールの存在モル比が特定となるようにグリシドールを添加して反応させる方法、ポリグリセリンにα−オレフィンエポキシドを反応させることによって得られる方法、酸触媒もしくはアルカリ触媒の存在下でアルキルグリシジルエーテルを、ポリグリセリンを用いて開環させる方法等が挙げられるが特に限定されるものではない。このようなポリグリセリンモノアルキルエーテルの好ましい例としてはテトラグリセリンモノオクチルエーテル、テトラグリセリンモノデシルエーテル、テトラグリセリンモノドデシルエーテル、テトラグリセリンモノテトラデシルエーテル、ヘキサグリセリンモノオクチルエーテルヘキサグリセリンモノデシルエーテル、ヘキサグリセリンモノドデシルエーテル、ヘキサグリセリンモノテトラデシルエーテル、オクタグリセリンモノオクチルエーテル、オクタグリセリンモノデシルエーテル、オクタグリセリンモノドデシルエーテル、オクタグリセリンモノテトラデシルエーテル、デカグリセリンモノデシルエーテル、デカグリセリンモノドデシルエーテル、デカグリセリンモノテトラデシルエーテル等が挙げられ、より好ましくはヘキサグリセリンモノドデシルエーテル、オクタグリセリンモノドデシルエーテル、デカグリセリンモノドデシルエーテルである。
【００１３】
本発明のポリグリセリンモノアルキルエーテルは、１種又は２種以上を組合わせて用いることができ、洗浄剤組成物中の割合は、特に限定するものではないが通常、０．０１〜２０重量部、好ましくは０．１〜１５重量部、特に好ましくは０．５〜１０重量部配合される。０．０１重量部未満では十分な泡立ちや保湿効果、感触改良効果が得られず、２０重量部を超えると組成物の調製が困難であり、また使用感に劣る。
【００１４】
本発明の洗浄剤組成物には、更に両性界面活性剤、非イオン性界面活性剤を配合することができ、肌感触の性能をより向上させることができるので好ましい。これらのうち、両性界面活性剤としては、通常の洗浄剤に用いられるものであれば特に制限されず、例えばカルボベタイン系活性剤、アミドベタイン系活性剤、スルホベタイン系活性剤、ホスホベタイン系活性剤、イミダゾリウムベタイン系活性剤、アミンオキサイド系活性剤等のいずれをも使用することができる。
【００１５】
これらのうち、アルキルアミドプロピルベタイン、アルキルヒドロキシスルホベタイン、アルキルジメチルアミノ酢酸ベタイン、アルキルヒドロキシホスホベタイン、２−アルキル−Ｎ−カルボキシアルキル−Ｎ−ヒドロキシアルキルイミダゾリニウムベタイン、アルキルジメチルアミンオキサイドが好ましく、特にアルキルアミドプロピルベタイン、アルキルヒドロキシスルホベタイン、アルキルヒドロキシホスホベタイン、２−アルキル−Ｎ−カルボキシアルキル−Ｎ−ヒドロキシアルキルイミダゾリニウムベタイン、アルキルジメチルアミンオキサイドが好ましい。
【００１６】
また、非イオン性界面活性剤としては、通常の洗浄剤組成物に用いられるものであれば特に制限されず、例えばポリオキシエチレン脂肪酸エステル、ポリオキシエチレン硬化ヒマシ油、ポリオキシエチレンソルビタン脂肪酸エステル、Ｃ８〜Ｃ１２脂肪酸モノグリセリド、グリセリンモノアルキルエーテル、ポリオキシエチレンアルキルエーテル、ポリオキシエチレンポリオキシプロピレングリコール、ヤシ油脂肪酸ジエタノールアミド、Ｃ６〜Ｃ２４脂肪酸ジエタノールアミド、Ｃ６〜Ｃ２４脂肪酸モノエタノールアミド、グリセリン脂肪酸（Ｃ６〜Ｃ２４）エステル、アルキルサッカライド系界面活性剤等が挙げられる。
【００１７】
これらのうち、特にグリセリンモノアルキルエーテル、ポリアルキルグリコシド、Ｃ６〜Ｃ２４脂肪酸ジエタノールアミド、Ｃ６〜Ｃ２４脂肪酸モノエタノールアミド、ポリオキシエチレンポリオキシプロピレングリコールが好ましい。
【００１８】
両性界面活性剤、非イオン界面活性剤としては特にアルキルアミドプロピルベタイン、アルキルヒドロキシスルホベタイン、アルキルヒドロキシホスホベタイン、２−アルキル−Ｎ−カルボキシアルキル−Ｎ−ヒドロキシアルキルイミダゾリニウムベタイン、アルキルジメチルアミンオキサイド、グリセリンモノアルキルエーテル、ポリアルキルグリコシド、Ｃ６〜Ｃ２４脂肪酸ジエタノールアミド、Ｃ６〜Ｃ２４脂肪酸モノエタノールアミド、ポリオキシエチレンポリオキシプロピレングリコールが好ましい。
【００１９】
これらの両性界面活性剤及び非イオン性界面活性剤から選ばれる１種又は２種以上を組合わせて用いることができ、洗浄剤組成物中に０．１〜３０重量部配合するのが好ましく、特に０．５〜２５重量部、更に０．８〜２０重量部配合すると、肌感触がより向上するので好ましい。
【００２０】
本発明の洗浄剤組成物には、前記成分のほか、通常の洗浄剤組成物に用いられる成分、例えばアニオン性、ノニオン性、カチオン性ポリマー等の粘度調整剤；ポリオール類等の保湿成分；アマイド、増泡剤；その他防腐剤、スクワラン、ホホバ油、オリーブ油、高級アルコール、ラノリン、エステル、シリコーン等の油分、水溶性高分子、ｐＨ調整剤、紫外線吸収剤、パール化剤、酸化防止剤、香料、色素等を、本発明の効果を損なわない範囲で適宜配合することができる。
【００２１】
本発明の洗浄剤組成物は、通常の方法に従って、例えば前記成分と水とを混合することにより製造することができる。ここで、水は洗浄剤組成物中に４５〜９５重量部、特に６０〜９０重量部配合するのが好ましい。
【００２２】
本発明の洗浄剤組成物は、泡立ちが良く、低刺激性でかつぬるつかず、すすぎ性に優れ、しかも洗いあがり後につっぱらず、しっとりして良好な肌感触が得られるものであり、特に皮膚洗浄用として好適である。
【実施例】
【００２３】
次に、実施例、比較例を挙げて本発明を更に詳細に説明するが、本発明はこれらの実施例に限定されるものではない。
【００２４】
実施例及び比較例
表１及び２に示す組成の洗浄剤組成物を常法により製造し、泡立ち、すすぎ性及び肌感触を評価した。結果を表１及び表２に示す。表中の配合量の数値は精製水を残部添加することにより合計１００重量部としたときのそれぞれの重量部である。
【００２５】
【表１】
2006282895.tif 000002
【００２６】
【表２】
2006282895.tif 000003
【００２７】
表１及び表２の結果より、本発明品はいずれも、泡立ちが良く、非常に良好な肌感触が得られるものであった。また、つっぱり感がなく保湿性に優れていた。
【００２８】
（評価方法）
（１）泡立ち量の測定方法
各洗浄剤組成物について、２０倍希釈水溶液を調製し、この溶液１００ｍｌ（液温３０℃）を５００ｍｌメスシリンダーに注入した。ついで撹拌羽根を上記溶液中に設置し 、１０００ｒｐｍの回転数で１分間撹拌した。その後生じた泡の体積（ｍｌ）を測定し泡立ち量とした。
○；泡立ち３５０ｍｌ以上
△；泡立ち２５０ｍｌ以上３５０ｍｌ未満
×；泡立ち２５０ｍｌ未満
【００２９】
（２）つっぱり感：専門パネラーにより、洗浄剤組成物１ｇを用いて手を洗浄したときのすすぎ性を、以下の基準で官能評価した。
○；洗浄後につっぱらない。
△；洗浄後にややつっぱる。
×；洗浄後につっぱる。
【００３０】
（３）肌感触：専門パネラーにより、洗浄剤組成物１ｇを用いて手を洗浄したときの、洗浄後の肌感触（しっとり感）を以下の基準で官能評価した。
◎；洗浄後の肌感触が非常に良い。
○；洗浄後の肌感触が良い。
△；洗浄後の肌感触があまり良くない。
×；洗浄後の肌感触が良くない。
【００３１】
（４）保湿性：洗浄剤組成物の１０％水溶液をよく泡立て、専門パネラー５名の前腕部に対し２０回往復洗浄する。その後、約１０秒間流水で洗い流し、皮膚水分値の経時変化をSKICON-200(皮表角水分量測定装置  アイ・ビイ・エス社)を用いて１５分間隔で１時間ごとに６回測定し、その平均値を求めた。（洗浄前の皮膚のコンダクタンス値は６０μｓ）
○；４０〜６０μｓ  保湿性に優れる
△；３０〜４０μｓ  保湿性にやや劣る
×；１０〜３０μｓ  保湿性に劣る
【産業上の利用可能性】
【００３２】
本発明品である洗浄剤組成物はいずれも、泡立ちが良く、低刺激性で、かつぬるつかず、すすぎ性に優れ、しかも洗いあがり後につっぱらず、しっとりして良好な肌感触が得られるものである。